(57)【要約】認証サーバは、最後にデータの送受信を行った認証部の識別情報が登録された第１の登録テーブルを有し、前記認証部は、最後にデータの送受信を行ったデータパス部又はページングコントローラ部の識別情報が登録された第２の登録テーブルを有し、前記認証サーバは、位置検索サーバから要求を受けると、前記第１の登録テーブルから前記認証部を特定し、前記特定された認証部へ前記要求を出力し、前記認証部は、前記認証サーバから前記要求を受けると、前記第２の登録テーブルから前記データパス部又は前記ページングコントローラ部を特定し、前記位置検索サーバは、前記特定されたデータパス部又はページングコントローラ部から、移動端末の位置情報を取得することを特徴とする。
2008152681.tif 000002
【特許請求の範囲】
【請求項１】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、
前記移動端末の位置の確定を要求する要求を出力する位置検索サーバを備え、
前記認証サーバは、最後にデータの送受信を行った前記認証部の識別情報が登録された第１の登録テーブルを有し、
前記認証部は、最後にデータの送受信を行った前記データパス部又は前記ページングコントローラ部の識別情報が登録された第２の登録テーブルを有し、
前記認証サーバは、前記位置検索サーバから前記要求を受けると、前記第１の登録テーブルから前記認証部を特定し、前記特定された認証部へ前記要求を出力し、
前記認証部は、前記認証サーバから前記要求を受けると、前記第２の登録テーブルから前記データパス部又は前記ページングコントローラ部を特定し、
前記位置検索サーバは、前記特定されたデータパス部又はページングコントローラ部から、前記移動端末の位置情報を取得することを特徴とする通信システム。
【請求項２】
前記認証サーバは、前記移動端末に対してネットワークへのアクセスを許可するアクセス許可メッセージを送信するときに、前記第１の登録テーブルへの登録を行うことを特徴とする請求項１記載の通信システム。
【請求項３】
前記認証サーバは、前記移動端末が、前記基地局装置、前記ゲートウェイ装置、及び前記認証サーバに対してネットワーク登録の処理を行う初期ネットワーク登録イベント、又は一定間隔で前記認証サーバが前記移動端末を再認証する再認証イベントのときに、前記第１の登録テーブルへの登録を行うことを特徴とする請求項１記載の通信システム。
【請求項４】
前記認証部は、前記データパス部及び前記ページングコントローラ部との間でデータの送受信を行うときに前記第２の登録テーブルへの登録を行うことを特徴とする請求項１記載の通信システム。
【請求項５】
前記認証部は、前記移動端末が前記基地局装置、前記ゲートウェイ装置、及び前記認証サーバに対してネットワーク登録の処理を行う初期ネットワーク登録イベント、前記移動端末の電源が切断されたアイドルモードへの遷移を行うアイドルモード遷移イベント、前記移動端末の位置情報を更新する位置情報更新イベント、及び前記データパス部の位置を移動することにより更新するリロケーションイベントのときに、前記第２の登録テーブルへの登録を行うことを特徴とする請求項１記載の通信システム。
【請求項６】
前記第１及び第２の登録テーブルは、前記移動端末ごとに、前記認証部、前記データパス部、及び前記ページングコントローラ部の識別情報が登録され、前記要求は、前記移動端末の識別情報を含み、
前記認証サーバと前記認証部は、前記要求に含まれる前記移動端末の識別情報に基づいて、前記第１及び第２の登録テーブルを検索することを特徴とする請求項１記載の通信システム。
【請求項７】
前記第２の登録テーブルには、最後にデータの送受信を行った前記データパス部及び前記ページングコントローラ部の双方の識別情報が登録され、
前記認証部は、前記認証サーバから前記要求を受けると、前記第２の登録テーブルから前記データパス部及び前記ページングコントローラ部を特定し、当該データパス部及び当該ページングコントローラ部に前記要求を出力し、前記データパス部及び前記ページングコントローラ部からの前記要求に対する確定応答に基づいて、前記移動端末を管理する前期データパス部又は前記ページングコントローラ部を特定することを特徴とする請求項１記載の通信システム。
【請求項８】
前記基地局装置は前記移動端末の位置情報を保持し、
前記データパス部及び前記ページングコントローラ部は、前記要求に対して、当該データバス部及び前記ページングコントローラ部に接続された前記基地局装置に前記位置情報の取得を要求し、
前記位置情報を取得した前記データパス部又は前記ページングコントローラ部のみが前記確定応答に前記位置情報を挿入して前記認証部に出力し、
前記認証部は前記位置情報を含む前記確定応答を出力した前記データパス部又は前記ページングコントローラ部を、前記移動端末を管理する前記データパス部又は前記ページングコントローラ部と特定することを特徴とする請求項７記載の通信システム。
【請求項９】
前記確定応答には時間情報が含まれ、前記認証部は、前記確定応答の時間情報を比較することで、前記移動端末を管理する前記データパス部又は前記ページングコントローラ部を特定することを特徴とする請求項７記載の通信システム。
【請求項１０】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、
前記移動端末の位置の確定を要求する要求を出力する位置検索サーバと、
前記移動端末にデータを配送するホームエージェントとを備え、
前記認証サーバは、最後にデータの送受信を行った前記認証部の識別情報が登録された第１の登録テーブルを有し、
前記認証部は、最後にデータの送受信を行った前記データパス部又は前記ページングコントローラ部のそれぞれの識別情報が登録された第２の登録テーブルを有し、
前記ホームエージェントは、最後にデータの送受信を行った前記認証サーバの識別情報が登録された第３の登録テーブルを有し、
前記ホームエージェントは、前記位置検索サーバから前記要求を受けると、前記第３の登録テーブルから前記認証サーバを特定し、前記特定された認証サーバに前記要求を出力し、
前記認証サーバは、前記ホームエージェントから前記要求を受けると、前記第１の登録テーブルから前記認証部を特定し、前記要求を前記特定された認証部に出力し、
前記認証部は、前記認証サーバから前記要求を受けると、前記第２の登録テーブルから前記データパス部又は前記ページングコントローラ部を特定し、
前記位置検索サーバは、前記特定されたデータパス部又はページングコントローラ部から、前記移動端末の位置情報を取得することを特徴とする通信システム。
【請求項１１】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、
前記移動端末の位置の確定を要求する要求を出力する位置検索サーバを備え、
前記認証部は、最後にデータの送受信を行った前記データパス部又は前記ページングコントローラ部のそれぞれの識別情報が登録された第２の登録テーブルを有し、
前記位置検索サーバは、最後にデータの送受信を行った前記認証部の識別情報が登録された第４の登録テーブルを有し、
前記位置検索サーバは、前記第４の登録テーブルに登録された前記認証部に、前記要求を出力し、
前記認証部は、前記位置検索サーバから前記要求を受けると、前記第２の登録テーブルから前記データパス部又は前記ページングコントローラ部を特定し、
前記位置検索サーバは、前記特定された前記データパス部又は前記ページングコントローラ部から、前記移動端末の位置情報を取得することを特徴とする通信システム。
【請求項１２】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、
位置検索サーバは前記移動端末の位置の確定を要求する要求を出力し、
前記認証サーバは、前記要求を前記位置検索サーバから受けて、最後にデータの送受信を行った前記認証部の識別情報が登録された第１の登録テーブルから前記認証部を特定し、特定された前記認証部に前記要求を出力し、
前記認証部は、前記認証サーバから前記要求を受けて、最後にデータの送受信を行った前記データパス部又は前記ページングコントローラ部の識別情報が登録された第２の登録テーブルから、前記データパス部及び前記ページングコントローラ部を特定し、
前記位置検索サーバは、前記特定された前記データパス部又は前記ページングコントローラ部から、前記移動端末の位置情報を取得することを特徴とする位置検索方法。
【請求項１３】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、
位置検索サーバは、前記移動端末にデータを配送するホームエージェントへ、前記移動端末の位置の確定を要求する要求を出力し、
前記ホームエージェントは、前記要求を受けると、最後にデータの送受信を行った前記認証サーバの識別情報が登録された第３の登録テーブルから前記認証サーバを特定し、前記特定された認証サーバに前記要求を出力し、
前記認証サーバは、前記要求を受けると、最後にデータの送受信を行った前記認証部の識別情報が登録された第１の登録テーブルから前記認証部を特定し、前記特定された認証部に前記要求を出力し、
前記認証部は、前記要求を受けると、最後にデータの送受信を行った前記データパス部又は前記ページングコントローラ部の識別情報が登録された第２の登録テーブルから前記データパス部又は前記ページングコントローラ部を特定し、
前記位置検索サーバは、前記特定されたデータパス部又はページングコントローラ部から、前記移動端末の位置情報を取得することを特徴とする位置検索方法。
【請求項１４】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、
位置検索サーバは前記移動端末の位置の確定を要求する要求を出力し、
前記認証部は、前記位置検索サーバから前記要求を受けて、最後にデータの送受信を行った前記データパス部又は前記ページングコントローラ部の識別情報が登録された第２の登録テーブルから、前記データパス部又は前記ページングコントローラ部を特定し、
前記位置検索サーバは、前記特定された前記データパス部又は前記ページングコントローラ部から、前記移動端末の位置情報を取得することを特徴とする位置検索方法。
【請求項１５】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムのコンピュータに実行させるプログラムであって、
位置検索サーバに対して、前記移動端末の位置の確定を要求する要求を出力させる処理と、
前記認証サーバに対して、前記要求を前記位置検索サーバから受けて、最後にデータの送受信を行った前記認証部の識別情報が登録された第１の登録テーブルから前記認証部を特定し、特定された前記認証部に前記要求を出力させる処理と、
前記認証部に対して、前記認証サーバから前記要求を受けて、最後にデータの送受信を行った前記データパス部又は前記ページングコントローラ部の識別情報が登録された第２の登録テーブルから、前記データパス部又は前記ページングコントローラ部を特定させる処理と、
前記位置検索サーバに対して、前記特定された前記データパス部又は前記ページングコントローラ部から、前記移動端末の位置情報を取得させる処理と
を前記コンピュータに実行させることを特徴とするプログラム。
【請求項１６】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムのコンピュータに実行させるプログラムであって、
位置検索サーバに対して、前記移動端末にデータを配送するホームエージェントへ、前記移動端末の位置の確定を要求する要求を出力させる処理と、
前記ホームエージェントに対して、前記要求を受けると、最後にデータの送受信を行った前記認証サーバの識別情報が登録された第３の登録テーブルから前記認証サーバを特定させ、前記特定された認証サーバに前記要求を出力させる処理と、
前記認証サーバに対して、前記要求を受けると、最後にデータの送受信を行った前記認証部の識別情報が登録された第１の登録テーブルから前記認証部を特定させ、前記特定された認証部に前記要求を出力させる処理と、
前記認証部に対して、前記要求を受けると、最後にデータの送受信を行った前記データパス部又は前記ページングコントローラ部の識別情報が登録された第２の登録テーブルから前記データパス部又は前記ページングコントローラ部を特定させる処理と、
前記位置検索サーバに対して、前記特定されたデータパス部又はページングコントローラ部から、前記移動端末の位置情報を取得させる処理と
を前記コンピュータに実行させることを特徴とするプログラム。
【請求項１７】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムの各コンピュータに実行させるプログラムであって、
位置検索サーバに対して、前記移動端末の位置の確定を要求する要求を出力させる処理と、
前記認証部に対して、前記位置検索サーバから前記要求を受けて、最後にデータの送受信を行った前記データパス部又は前記ページングコントローラ部のそれぞれの識別情報が登録された第２の登録テーブルから、前記データパス部又は前記ページングコントローラ部を特定させる処理と、
前記位置検索サーバに対して、前記特定された前記データパス部又は前記ページングコントローラ部から、前記移動端末の位置情報を取得させる処理と
を前記コンピュータに実行させることを特徴とするプログラム。
【発明の詳細な説明】
【技術分野】
【０００１】
本発明は、通信システム、通信システムにおける移動端末の位置検索方法、及びプログラムに関する。
【背景技術】
【０００２】
現在、携帯電話などの移動端末向けの通信規格として、「ＷｉＭＡＸ」（例えば、以下の非特許文献１）や、「３ＧＰＰ」（例えば、以下の非特許文献２）がある。【０００３】
図２０は、ＷｉＭＡＸによる通信システム１００の構成例を示す図である（例えば、以下の非特許文献３）。通信システム１００は、ＭＳ‐Ａ（Mobile Station-A：移動端末Ａ）１０と、ＢＳ群２０と、ＡＳＮ‐ＧＷ群４０と、ＣＳＮ群６０とを備える。【０００４】
ＢＳ群２０は複数のＢＳ（Base Station：基地局装置、ＢＳ＃１〜＃４）２１〜２４から構成され、ＣＳＮ‐ＧＷ群４０も複数のＡＳＮ‐ＧＷ（Access
Service Network-Gate Way：ＡＳＮ‐ＧＷ＃１〜＃４）４１〜４４から構成される。【０００５】
ＡＳＮ‐ＧＷ４１〜４４は、ＭＳ‐Ａ１０にネットワーク（ＡＳＮ群４０やＣＳＮ群６０を含む）へのアクセスを提供するためのゲートウェイである。また、ＣＳＮ群６０は、ＭＳ‐Ａ１０にサービスを提供するための装置が含まれ、例えばサービスプロバイダなどに相当する。尚、図１９は４つのＢＳ２１〜２４と４つのＡＳＮ‐ＧＷ４１〜４４を備える例を示す。【０００６】
各ＢＳ２１〜２４は、ＰＡ（Paging Agent）２１１，２２１，２３１，２４１と、ＤＰ（Data Path）２１２，２２２，２３２，２４２の２つのエンティティ（機能ブロック）を備える。【０００７】
ＰＡ２１１，２２１，２３１，２４１は、ＡＳＮ‐ＧＷ４１〜４４のＰＣ（Paging Controller）４１１，４２１，４３１，４４１とＩＥＥＥ８０２．１６ｅとの間の対話を取り扱う。【０００８】
また、ＤＰ２１２，２２２，２３２，２４２（送信部とも呼ぶ）は、入力されたデータパケット等の選択や、ＭＳ‐Ａ１０へのデータの伝送等を行う。【０００９】
一方、各ＡＳＮ‐ＧＷ４１〜４４は、ＰＣ／ＬＲ（Location Register）４１１，４２１，４３１，４４１と、ＤＰ／ＦＡ（Foreign
Agent）４１２，４２２，４３２，４４２と、Ａｕｔｈ（Authenticator）４１３，４２３，４３３，４４３とを備える。【００１０】
ＰＣ／ＬＲ４１１，４２１，４３１，４４１は、厳密にはＰＣとＬＲの２つのエンティティから構成されるが、各種動作を実行するときに１つのブロックとして実行されるため、図中１つのエンティティとして示される。ＤＰ／ＦＡ４１２，４２２，４３２，４４２（送信部とも呼ぶ）も同様である。【００１１】
ＰＣはアイドルモード（ＭＳ‐Ａ１０の電源が切れた状態）におけるＭＳ‐Ａ１０の動作を管理するエンティティであり、ＬＲは分散型データベースでありアイドルモードにおけるＭＳに関する情報を有する。また、ＦＡは、ＭＳ‐Ａ１０の外部ネットワーク（Foreign Network）に位置し、ＭＳ‐Ａ１０の位置をＨＡ６１，６２に通知し、ＭＳ‐Ａ１０のデータを仲介・転送するルータである。【００１２】
Ａｕｔｈ４１３，４２３，４３３，４４３は、認証時にＭＳ‐Ａ１０とＡＡＡサーバ６３とのリンクを提供し、ＡＡＡサーバ６３に対するクライアントとして動作する。また、Ａｕｔｈ４１３，４２３，４３３，４４３は、認証に関係する情報の保持や鍵管理（ＡＡＡサーバ６３から発行された認証キーの保持など）を行い、例えば、認証キーをＢＳ２１〜２４を介してＭＳ‐Ａ１０に送信する。【００１３】
ＣＳＮ群６０は、ＨＡ（Home Agent）６１，６２と、ＡＡＡ（Authentication,
Authorization, and Accounting）サーバ６３を備える。【００１４】
ＨＡ６１，６２は、ＭＳ‐Ａ１０の内部ネットワーク（Home Network）に位置し、ＭＳ‐Ａ１０の位置するネットワークを把握して、ＭＳ‐Ａ１０へデータ配送するルータである。【００１５】
ＡＡＡサーバ６３は、ＭＳ‐Ａ１０の認証等を行うサーバであり、例えば認証キーをＭＳ毎に保持し、接続要求のあったＭＳ‐Ａ１０に対して認証キーを出力する。【００１６】
図２０に示すように、ＨＡ６１は、ＡＳＮ‐ＧＷ４１，４２に接続され、更に各ＡＳＮ‐ＧＷ４１，４２は各々ＢＳ２１，２２に接続される。また、ＨＡ６２は、ＡＳＮ‐ＧＷ４３，４４に接続され、各ＡＳＮ‐ＧＷ４３，４４は各々ＢＳ２３，２４に接続される。【００１７】
このように構成された通信システム１００は以下のように動作する（例えば、以下の非特許文献３）。まず、ＭＳ‐Ａ１０が初期ネットワーク接続（Initial Network Entry）した場合、ＭＳ‐Ａ１０の接続要求に基づいて、ＢＳ２２のＤＰ２２２と、ＡＳＮ‐ＧＷ４２のＤＰ／ＦＡ４２２と、ＣＳＮ群６０のＨＡ６１、及びＡＡＡサーバ６３が動作し、各々でＭＳ‐Ａ１０の識別情報、例えば、ＭＳ‐Ａ１０のＩＰアドレスを保持する。そして、ＨＡ６１からＤＰ／ＦＡ４２２、ＤＰ２２２を介して、ネットワークからのデータがＭＳ‐Ａ１０に送信される。【００１８】
以後、ＭＳ‐Ａ１０は、アクティブ状態として、ＢＳ２２を介して、ネットワーク側との間でデータを送受信する。【００１９】
その後、ＭＳ‐Ａ１０がＢＳ２３のセル範囲に移動してＭＳ‐Ａ１０の電源が切断されると、ＭＳ‐Ａ１０は、ＢＳ２３を介してＡＳＮ‐ＧＷ４３のＰＣ／ＬＲ４３１に対して、メッセージの送受信を行う。従って、アイドル状態のときは、ＰＣ／ＬＲ４３１がアクティブになり、ＰＣ／ＬＲ４３１がＭＳ‐Ａ１０の識別情報を保持する。
【非特許文献１】IEEE 802.16e-2005
【非特許文献２】3GPP TS 23.060 V4.7.0 (2002-12)
【非特許文献３】WiMAX Forum Network Architecture Release 1.0.0March 28, 2007
【発明の開示】
【発明が解決しようとする課題】
【００２０】
上述した例においてＡＳＮ‐ＧＷ群４０に着目すると、ＭＳ‐Ａ１０の状態に応じて、動作するエンティティが異なる。すなわち、ＭＡ‐Ａ１０がアクティブ状態のときは、例えばＡＳＮ‐ＧＷ４２のＤＰ／ＦＡ４２２やＡｕｔｈ４２３が動作し、アイドル状態のときは、例えばＡＳＮ‐ＧＷ４３のＰＣ／ＬＲ４３１が動作する。そして、これらのエンティティ４２２等が、現在、ＭＳ‐Ａ１０との間で接続が確立され、ＭＳ‐Ａ１０のＩＤを保持し、サービスを提供している。【００２１】
ある時間では、ＡＳＮ‐ＧＷ４１〜４４のいずれかのエンティティ４１１等が動作するが、どのエンティティ４１１等が動作するかは、ＭＳ‐Ａ１０の状態等に応じて変化する。【００２２】
かかる状態で、ＭＳ‐Ａ１０の現在位置を検索しようとすると、動作しているエンティティ４１１等を検索するために、ＡＳＮ‐ＧＷ群４０において全てのＡＳＮ‐ＧＷ４１〜４４の、全てのエンティティ４１１等を検索しなければならない。これでは、検索のためだけに通信システム１００のリソースを費やしてしまう。また、全てのエンティティ４１１等を検索すると検索時間が非常に長くなり、検索を含むサービスを提供するには有効ではない。【００２３】
一方、前述の非特許文献２にも記載されているように、３ＧＰＰによる通信システムでは、ＨＬＲ（Home
Location Register）と呼ばれるエンティティにより、ＭＳ‐Ａ１０を集中管理している。従って、３ＧＰＰにおいてＭＳ‐Ａ１０の現在位置を検索するには、ＨＬＲにアクセスして検索すればよい。【００２４】
ＷｉＭＡＸでは、３ＧＰＰのようにＭＳ‐Ａ１０の現在位置を集中管理するものがないため、ＭＳ‐Ａ１０の現在位置を検索するためには、リソースの有効活用を図り、検索時間を短縮できるようにした通信システムが望まれている。【００２５】
本発明はこのような問題点に鑑みてなされたもので、その目的は、移動端末の位置を集中管理しない通信システムにおいて移動端末の位置検索を行う際に、通信システムのリソースを有効活用できるようにした通信システム、通信システムにおける移動端末の位置検索方法、及びプログラムを提供することにある。【００２６】
また、本発明の他の目的は、かかる通信システムにおいて、移動端末の位置を検索するための時間を少なくするようにした通信システム等を提供することにある。
【課題を解決するための手段】
【００２７】
上記目的を達成するために、本発明の一実施態様によれば、移動端末と無線通信を行う基地局装置と、前記基地局装置と接続されて前記基地局装置を介して前記移動端末にネットワークへの接続経路を提供するゲートウェイ装置と、前記ゲートウェイ装置と接続され前記ゲートウェイ装置及び前記基地局装置を介して前記移動端末に認証キーを発行する認証サーバと、を備え、前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、前記移動端末の位置の確定を要求する要求を出力する位置検索サーバを備え、前記認証サーバは、最後にデータの送受信を行った前記認証部の識別情報が登録された第１の登録テーブルを有し、前記認証部は、最後にデータの送受信を行った前記データパス部又は前記ページングコントローラ部の識別情報が登録された第２の登録テーブルを有し、前記認証サーバは、前記位置検索サーバから前記要求を受けると、前記第１の登録テーブルから前記認証部を特定し、前記特定された認証部へ前記要求を出力し、前記認証部は、前記認証サーバから前記要求を受けると、前記第２の登録テーブルから前記データパス部又は前記ページングコントローラ部を特定し、前記位置検索サーバは、前記特定されたデータパス部又はページングコントローラ部から、前記移動端末の位置情報を取得することを特徴とする。【００２８】
また、上記目的を達成するために本発明の他の実施態様によれば、移動端末と無線通信を行う基地局装置と、前記基地局装置と接続されて前記基地局装置を介して前記移動端末にネットワークへの接続経路を提供するゲートウェイ装置と、前記ゲートウェイ装置と接続され前記ゲートウェイ装置及び前記基地局装置を介して前記移動端末に認証キーを発行する認証サーバと、を備え、前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、位置検索サーバは前記移動端末の位置の確定を要求する要求を出力し、前記認証サーバは、前記要求を前記位置検索サーバから受けて、最後にデータの送受信を行った前記認証部の識別情報が登録された第１の登録テーブルから前記認証部を特定し、特定された前記認証部に前記要求を出力し、前記認証部は、前記認証サーバから前記要求を受けて、最後にデータの送受信を行った前記データパス部又は前記ページングコントローラ部の識別情報が登録された第２の登録テーブルから、前記データパス部及び前記ページングコントローラ部を特定し、前記位置検索サーバは、前記特定された前記データパス部又は前記ページングコントローラ部から、前記移動端末の位置情報を取得することを特徴とする。【００２９】
更に、上記目的を達成するために本発明の他の実施態様によれば、移動端末と無線通信を行う基地局装置と、前記基地局装置と接続されて前記基地局装置を介して前記移動端末にネットワークへの接続経路を提供するゲートウェイ装置と、前記ゲートウェイ装置と接続され前記ゲートウェイ装置及び前記基地局装置を介して前記移動端末に認証キーを発行する認証サーバと、を備え、前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムのコンピュータに実行させるプログラムであって、位置検索サーバに対して、前記移動端末の位置の確定を要求する要求を出力させる処理と、前記認証サーバに対して、前記要求を前記位置検索サーバから受けて、最後にデータの送受信を行った前記認証部の識別情報が登録された第１の登録テーブルから前記認証部を特定し、特定された前記認証部に前記要求を出力させる処理と、前記認証部に対して、前記認証サーバから前記要求を受けて、最後にデータの送受信を行った前記データパス部又は前記ページングコントローラ部の識別情報が登録された第２の登録テーブルから、前記データパス部又は前記ページングコントローラ部を特定させる処理と、前記位置検索サーバに対して、前記特定された前記データパス部又は前記ページングコントローラ部から、前記移動端末の位置情報を取得させる処理とを前記コンピュータに実行させることを特徴とする。
【発明の効果】
【００３０】
本発明によれば、移動端末の位置を集中管理しない通信システムにおいて、移動端末の位置検索を行う際に、通信システムのリソースを有効活用できるようにした通信システム、通信システムにおける移動端末の位置検索方法、及びプログラムを提供できる。【００３１】
また、本発明によれば、かかる通信システムにおいて、移動端末の位置を検索するための時間を少なくするようにした通信システム等を提供することにある。
【図面の簡単な説明】
【００３２】
【図１】図１は通信システムの構成例を示す図である。
【図２】図２は移動端末の状態例を示す図である。
【図３】図３は位置検索を行う場合の処理の流れを示す図である。
【図４】図４は初期ネットワーク登録処理のシーケンス例を示す図である。
【図５】図５は再認証処理のシーケンス例を示す図である。
【図６】図６はアイドルモードへの遷移処理のシーケンス例を示す図である。
【図７】図７は位置情報更新処理のシーケンス例を示す図である。
【図８】図８はリロケーション処理のシーケンス例を示す図である。
【図９】図９（Ａ）及び同図（Ｂ）は登録処理の例を示すフローチャートである。
【図１０】図１０（Ａ）及び同図（Ｂ）は登録テーブルの例を示す図である。
【図１１】図１１（Ａ）及び同図（Ｂ）は位置検索処理を行う際の通信システムの接続構成例を示す図である。
【図１２】図１２は位置検索処理のシーケンス例を示す図である。
【図１３】図１３は位置検索を行う場合の処理の流れを示す図である。
【図１４】図１４は登録処理の例を示すフローチャートである。
【図１５】図１５は登録テーブルの例を示す図である。
【図１６】図１６は位置検索を行う場合の処理の流れを示す図である。
【図１７】図１７は登録処理の例を示すフローチャートである。
【図１８】図１８は位置検索処理のシーケンス例を示す図である。
【図１９】図１９はコンピュータの構成例を示す図である。
【図２０】図２０は従来における通信システムの構成例を示す図である。
【符号の説明】
【００３３】
１：通信システム                      １０：ＭＳ‐Ａ（Mobile Station A：移動端末Ａ）
２０：ＢＳ（Base Station：基地局装置）群
２１〜２４：ＢＳ                      
４０：ＡＳＮ‐ＧＷ（Access Service Network-Gate Way）群
４１〜４４：ＡＳＮ‐ＧＷ              ６０：ＣＳＮ（Core Service Network）群
６１，６２：ＨＡ（Home Agent）        ７０：コンピュータ
７１：ＣＰＵ
６３：ＡＡＡ（Authentication, Authorization, and Accounting）サーバ
６４：ＬＳ（Location Server）          
２１１，２２１，２３１，２４１：ＰＡ（Paging Agent）
２１２，２２２，２３２，２４２：ＤＰ（Data Path）
４１１，４２１，４３１，４４１：ＰＣ（Paging Controller）／ＬＲ（Location
Register）
４１２，４２２，４３２，４４２：ＤＰ（Data Path）／ＦＡ（Foreign Agent）
４１３，４２３，４３３，４４３：Ａｕｔｈ（Authenticator）
６１１，６３１，６４１，４１３１：登録テーブル
【発明を実施するための最良の形態】
【００３４】
本発明を実施するための最良の形態について以下説明する。【００３５】
＜１．第１の実施例＞  
まず、第１の実施例について説明する。図１は、本第１の実施例における通信システム１の構成例を示す図である。図２０に示す従来の通信システム１００に対して、ＣＳＮ群６０にＬＳ（Location Server）６４が追加される。第１の実施例を含め以下に示す実施例において、位置検索処理を行う際の依頼（又は命令）は、ＬＳ６４から行われる。すなわち、ＬＳ６４は、集中してＭＳ‐Ａ１０などのデバイスの位置を検索できる機能を有する位置検索サーバである。尚、他の構成は、前述の図２０と略同様のため、詳細な説明を省略する。本通信システム１は前述の所謂「ＷｉＭＡＸ」による通信システムである。【００３６】
図２は、ＭＳ‐Ａ（移動端末Ａ）１０の状態遷移の例を示す図である。ネットワーク（ＢＳ群２０とＡＳＮ‐ＧＷ群４０）側からのＭＳ‐Ａ１０の状態遷移である。ＭＳ‐Ａ１０の状態には、アクティブ状態（Ａｃｔｉｖｅ）Ｍ１と、アイドル状態（Ｉｄｌｅ）Ｍ２、及びデレジストレーション状態（Ｄｅ‐Ｒｅｇｉｓｔｒａｔｉｏｎ）Ｍ３がある。【００３７】
アクティブ状態Ｍ１とは、ＭＳ‐Ａ１０がサービスの提供を受けている状態であり、ネットワークへの登録処理も含まれる。また、アイドル状態Ｍ２とは、ＭＳ‐Ａ１０の電源が切断されている状態であり、デレジストレーション状態Ｍ３とはネットワークへの登録を切断している状態である。ＭＳ‐Ａ１０はこの３つの状態Ｍ１〜Ｍ３を遷移する。【００３８】
図３は、本通信システム１における位置検索処理の流れを説明するための図である。同図を参照して位置検索の処理について説明する。【００３９】
まず、ＬＳ６４はＡＡＡサーバ６３に対して位置検索の処理の依頼を示すメッセージ（又は位置情報先確定要求）を出力する。【００４０】
次いで、ＡＡＡサーバ６３は、かかるメッセージ等に基づいて、予め登録テーブル６３１に登録した最後にメッセージ等の送受信を行った（最後にレポートした）Ａｕｔｈ４１３,４２３を検索する。この登録処理の詳細は後述する。例えば、ＡＡＡサーバ６３は登録テーブル６３１からＡｕｔｈ（＃１）４１３を読み出す。【００４１】
そして、ＡＡＡサーバ６３は、Ａｕｔｈ４１３に位置情報先確定要求のメッセージを出力する。【００４２】
かかるメッセージを受けたＡｕｔｈ４１３は、予め登録テーブル４１３１に登録されたＰＣ／ＬＲ４１１，４２１，４３１（図に示す例はＰＣ／ＬＲ（＃３）４３１）と、ＤＰ／ＦＡ４１２，４２２，４３２（図に示す例ではＤＰ／ＦＡ（＃２）４２２）とを検索する。【００４３】
Ａｕｔｈ４１３の登録テーブル４１３１には、最後にレポートしたエンティティとして、ＰＣ／ＬＲ４１１，４２１，４３１と、ＤＰ／ＦＡ４１２，４２２，４３２の２種類がある。２種類あるのは、ＭＳ‐Ａ１０の状態（図２）に応じて、動作するエンティティが異なるからである。つまり、従来技術でも説明したように、ＭＳ‐Ａ１０がアクティブ状態のときはＤＰ／ＦＡ４１２，４２２，４３２が動作し、アイドル状態のときはＰＣ／ＬＲ４１１，４２１，４３１が動作する。従って、登録テーブル４１３１には、アクティブ状態において最後に通知したＤＰ／ＦＡ４１２，４２２，４３２と、アイドル状態において最後に通知したＰＣ／ＬＲ４１１，４２１，４３１の２つの種類のエンティティが登録される。【００４４】
図３に戻り、Ａｕｔｈ４１３は、登録テーブル４１３１に登録されたＰＣ／ＬＲ（＃３）４３１と、ＤＰ／ＦＡ（＃２）４２２に、どちらが真に最後に通知したかを確定するための要求（位置情報先確定要求）を出力する。かかる要求を受けた、ＰＣ／ＬＲ（＃３）４３１とＤＰ／ＦＡ（＃２）４２２は、自身が真に最後に通知したかを示す応答をＡｕｔｈ４１３に出力する。【００４５】
Ａｕｔｈ４１３は、得られた情報（ＰＣ／ＬＲ（＃３）４３１か、ＤＰ／ＦＡ（＃２）４２２）を示す応答（位置情報先確定応答）をＡＡＡサーバ６３に出力する。ＡＡＡサーバ６３は、かかる応答をＬＳ６４に出力する。【００４６】
ＬＳ６４は、最後に通知したＰＣ／ＬＲ４３１又はＤＰ／ＦＡ４２２の情報を得る。ＬＳ６４は、最後の通知、すなわち現在、ＭＳ‐Ａ１０を管理するＰＣ／ＬＲ４３１又はＤＰ／ＦＡ４２２の情報を得ることができる。そして、ＬＳ６４は、現在、ＭＳ‐Ａ１０を管理する（或いは、ＭＳ‐Ａ１０との間で接続が確立されメッセージ等の送受信を行う）ＰＣ／ＬＲ４３１又はＤＰ／ＦＡ４２２に対して、ＭＡ‐Ａ１０の位置情報を取得するための要求メッセージを出力する等により、ＭＳ‐Ａ１０の位置情報（緯度、経度、高度等）を得る。位置情報の取得により位置検索は終了する。【００４７】
最後に通知したＰＣ／ＬＲ４３１又はＤＰ／ＦＡ４２２は、現在、ＭＳ‐Ａ１０を管理するＰＣ／ＬＲ４３１又はＤＰ／ＦＡ４２２である、というのは以下の理由による。すなわち、ＭＳ‐Ａ１０は、前述したように現在の状態に応じて状態が変化し（図２）、それに応じてＭＳ‐Ａ１０に応答するＡＳＮ‐ＧＷ４１〜４４のエンティティ４１１等が異なること、更に、Ａｕｔｈ４１３，４２３，４３３，４４３が保持する登録テーブル４１３１には最後にＡｕｔｈ４１３，４２３，４３３，４４３と通知したＰＣ／ＬＲ４１１，４２１，４３１，４４１又はＤＰ／ＦＡ４１２，４２２，４３２，４４２が記録されるが、通信システム１内で特別なイベントがない限りその状態を保持してＡＳＮ‐ＧＷ４１〜４４は動作し、登録テーブル４１３１に登録された内容が現在ＭＳ‐Ａ１０を管理する（サービスを提供する）エンティティ４１１等を示しているからである。【００４８】
尚、本処理で前提としているのは、ＡＡＡサーバ６３は最後にメッセージの送受信を行ったＡｕｔｈ４１３，４２３，４３３，４４３の識別情報を保持し（登録テーブル６３１）、Ａｕｔｈ４１３，４２３，４３３，４４３は、最後にメッセージの送受信を行ったＰＣ／ＬＲ４１１，４２１，４３１，４４１とＤＰ／ＦＡ４１２，４２２，４３２，４４２のそれぞれの識別情報を保持する（登録テーブル４１３１）ことにより、送受信先を把握していることである。これらの情報は、各イベントにおけるメッセージの送受信により取得できる。【００４９】
そして、ＭＳ‐Ａ１０の位置検索は、ＡＳＮ‐ＧＷ４１〜４４内において、Ａｕｔｈ４１３，４２３，４３３，４４３における登録テーブル４１３１での検索と、それに基づく、ＤＰ／ＦＡ４２２へのアクセスと、ＰＣ／ＬＲ４３１へのアクセスとの３回の処理により、エンティティ４１１等が特定される。その後、かかるＰＣ／ＬＲ４３１又はＤＰ／ＦＡ４２２からＭＳ‐Ａ１０の位置情報を取得することにより、容易にＭＳ‐Ａ１０の位置を検索できる。【００５０】
このように本第１の実施例では、ＡＳＮ‐ＧＷ４１〜４４内においては、ＡＳＮ‐ＧＷ４１〜４４の台数に関係なく、常に３回の検索処理でエンティティ４１１等を特定できる。よって、ＡＳＮ‐ＧＷ４１〜４４の全てのエンティティ４１１等を検索する場合と比較して、早くＭＳ‐Ａ１０の位置を検索することができる。早く検索できる分、通信システム１のリソースを他の処理に回せるため、リソースの有効活用を図ることができる。【００５１】
次に、２つの登録テーブル６３１，４１３１の登録処理について説明し、併せてその登録処理が実行されるタイミングやイベントも説明する。その後、登録した登録テーブル６３１，４１３１に基づいてＭＳ‐Ａ１０の位置検索処理の詳細について説明する。【００５２】
＜１．１  登録処理＞
図３に示したように、本通信システム１には２つの登録テーブル６３１，４１３１がある。各登録テーブル６３１，４１３１における各々の登録処理について説明する。【００５３】
図４乃至図８は、登録処理が実行されるイベントのシーケンス例を示し、図９（Ａ）は、ＡＡＡサーバ６３における登録処理のフローチャート、同図（Ｂ）はＡｕｔｈ４１３，４２３，４３３，４４３における登録処理のフローチャートを示す図である。【００５４】
まず、ＡＡＡサーバ６３における登録処理について説明する。かかる登録処理が実行されるのは、図４に示す初期ネットワーク登録イベントと、図５に示す再認証（Re-Authentication）イベントの２つである。ＡＡＡサーバ６３がＡｕｔｈ４１３，４２３，４３３，４４３との間でメッセージ等の送受信を行い、ＡＡＡサーバ６３がＡｕｔｈ４１３，４２３，４３３，４４３のうち、どのＡｕｔｈ４１３，４２３，４３３，４４３と最後に送受信したかを示すのは、これら２つのイベントだからである。ＡＡＡサーバ６３は、ＭＳ‐Ａ１０に対する認証を管理するサーバであり、一旦、初期認証や再認証を行った後は、とくにＡｕｔｈ４１３，４２３，４３３，４４３と通信することもなくその状態を維持したまま、通信システム１が動作するからである。よって、最後にメッセージを送受信したＡｕｔｈ４１３，４２３，４３３，４４３が現在ＭＳ‐Ａ１０を管理する（ＭＳ‐Ａ１０にサービスを提供する）Ａｕｔｈ４１３，４２３，４３３，４４３となる。【００５５】
図４及び図５について具体的に説明する。図４に示すように、初期ネットワーク登録イベントで、ＭＳ‐Ａ１０はＢＳ２１〜２４のいずれかとの間で物理接続の設定を行う（Ｓ１０）。例えば、チャネルパラメータの送受信や初期レンジングメッセージの送受信が行われる。【００５６】
次いで、ＭＳ‐Ａ１０は、ＢＳ２１〜２４を介して、ＡＳＮ‐ＧＷ４１〜４４のＡｕｔｈ４１３，４２３，４３３，４４３のいずれかとの間で認証方式の設定を行う（Ｓ１１）。例えば、ＳＢＣメッセージによる認証ポリシの送受信や、ＰＫＭメッセージによる認証のための各種パラメータの送受信等が行われる。【００５７】
次いで、ＭＳ‐Ａ１０は、ＡＡＡサーバ６３との間で認証処理を行う（Ｓ１２）。Ａｕｔｈ４１３，４２３，４３３，４４３は、前段階の処理（Ｓ１０，Ｓ１１）又は本処理において、ＭＳ‐Ａ１０の識別情報（例えば、ＩＰアドレス）を、ＭＳ‐Ａ１０から取得する。そして、本認証処理において、Ａｕｔｈ４１３，４２３，４３３，４４３は、取得したＭＳ‐Ａ１０の識別情報と、自身の識別情報（Ａｕｔｈ４１３，４２３，４３３，４３４）とをＡＡＡサーバ６３に出力する。これにより、ＡＡＡサーバ６３は、図３に示すように登録テーブル６３１に「Ａｕｔｈ＃１」の識別情報を登録できる。【００５８】
そして、ＡＡＡサーバ６３は、認証処理が終了すると、ＭＳ‐Ａ１０のアクセス許可メッセージをＡｕｔｈ４１３，４２３，４３３，４４３に出力する（Ｓ１３）。本実施例では、このメッセージの送信を契機にして、登録テーブル６３１への登録処理が行われる。このタイミングで行うのは、上述したように、以後の処理でＡＡＡサーバ６３は他のエンティティ４１３等とメッセージ等の送受信は行わず、この状態が維持されるからである。【００５９】
図９（Ａ）に示す登録処理について説明する。登録処理が開始されると（Ｓ１００）、ＡＡＡサーバ６３は、アクセス許可メッセージを出力したか否かを判断する（Ｓ１１０）。アクセス許可メッセージは、上述した図４のＳ１３のメッセージである。【００６０】
ＡＡＡサーバ６３は、アクセス許可メッセージを出力したときは（Ｓ１１０でＹｅｓ）、認証許可先のＡｕｔｈ４１３，４２３，４３３，４４３の識別情報（ＩＤ）を登録テーブル６３１に登録する（Ｓ１２０）。そして、ＡＡＡサーバ６３は登録処理を終了させる（Ｓ１３０）。【００６１】
一方、ＡＡＡサーバ６３は、アクセス許可メッセージを出力しないとき（Ｓ１１０でＮｏ）、登録テーブル６３１に登録することなく一連の処理を終了させる（Ｓ１３０）。【００６２】
図１０（Ａ）は登録テーブル６３１の一例を示す図である。ＭＳごとにＭＳの識別情報と、当該ＭＳと最後に送受信を行ったＡｕｔｈ４１３，４２３，４３３，４４３の識別情報とが登録される。【００６３】
図４に戻り、ＡＡＡサーバ６３がアクセス許可メッセージを出力すると（Ｓ１３）、ＭＳ‐Ａ１０とＡｕｔｈ４１３，４２３，４３３，４４３との間で、メッセージの送受信により、認証情報の確認処理が行われ（Ｓ１４）、ネットワーク登録の完了処理が行われる（Ｓ１５）。その後、データパスの設定処理（Ｓ１８）、ＭＳ‐Ａ１０の登録処理（Ｓ１９）が行われる。【００６４】
ＡＡＡサーバ６３の登録テーブル６３１への登録処理は、図５に示す再認証イベントのときでも行われる。【００６５】
すなわち、一定期間ごとにＭＳ‐Ａ１０は、ＢＳ２１〜２４とＡｕｔｈ４１３，４２３，４３３，４４３とを介して、ＡＡＡサーバ６３との間で認証処理を行う（Ｓ２１）。そして、ＡＡＡサーバ６３は、Ａｕｔｈ４１３，４２３，４３３，４４３に対してネットワーク（ＢＳ群２０とＡＳＮ‐ＧＷ群４０等を含む）へのアクセス許可メッセージを出力する（Ｓ２２）。初期ネットワーク登録イベントと同じように、このメッセージの出力を契機にして、ＡＡＡサーバ６３は登録処理を行う（図９（Ａ））。その後、ＭＳ‐Ａ１０はＡｕｔｈ４１３，４２３，４３３，４４３との間で認証情報の確認処理を行う（Ｓ２３）。【００６６】
次に、Ａｕｔｈ４１３，４２３，４３３，４４３における登録テーブル４１３１の登録処理について説明する。【００６７】
かかる登録処理が行われるのは、初期ネットワーク登録処理（図４参照）、ＭＳ‐Ａ１０のアクティブモードからアイドルモードへの遷移イベント（図６参照）、位置情報更新（Location Update）イベント（図７参照）、リロケーションイベント（図８参照）のときである。かかるイベントにおいて登録テーブル４１３１への登録処理が行われるのは、Ａｕｔｈ４１３，４２３，４３３，４４３が、ＰＣ／ＬＲ４１１，４２１，４３１，４４１や、ＤＰ／ＦＡ４１２，４２２，４３２，４４２との間でメッセージの送受信が行われ、以後これらのイベント以外のイベントが行われても、Ａｕｔｈ４１３，４２３，４３３，４４３はＰＣ／ＬＲ４１１，４２１，４３１，４４１やＤＰ／ＦＡ４１２，４２２，４３２，４４２とメッセージの送受信は行われず、ＭＳ‐Ａ１０を管理するＰＣ／ＬＲ４１１等は変化しないからである。【００６８】
各イベントについて説明すると、図４に示す初期ネットワーク登録処理においては、ネットワーク登録完了処理（Ｓ１５）が終了後、Ａｕｔｈ４１３，４２３，４３３，４４３は、ＤＰ／ＦＡ４１２，４２２，４３２，４４２に対して、データパスを確立するためのトリガ（データパケットの送信等）を与える（Ｓ１６）。Ａｕｔｈ４１３，４２３，４３３，４４３は、ＤＰ／ＦＡ４１２，４２２，４３２，４４２との間でデータの送受信を行い、最後に送受信したＤＰ／ＦＡ４１２，４２２，４３２、４４２の識別情報を登録する必要があることから、登録テーブル４１３１へのＤＰ／ＦＡ４１２，４２２，４３２，４４２の登録処理を行う。【００６９】
図９（Ｂ）は、Ａｕｔｈ４１３，４２３，４３３，４４３で行われる登録テーブル４１３１への登録処理のフローチャートである。【００７０】
まず、ＤＰ確立トリガ（Ｓ１６）の送信を契機に処理が開始され（Ｓ２００）、Ａｕｔｈ４１３，４２３，４３３，４４３はメッセージの送受信タイプが「Ｃｏｎｔｅｘｔ  ｄｅｌｉｖｅｒｙ」である否かを判断する（Ｓ２１０）。「Ｃｏｎｔｅｘｔ  ｄｅｌｉｖｅｒｙ」とは、位置情報更新イベント（図７）等において、ＡＳＮ‐ＧＷ４１〜４４の各エンティティ４１１等間でデータを全て新しいエンティティ４１１等に通知するときに送受信されるメッセージである。この「Ｃｏｎｔｅｘｔ  ｄｅｌｉｖｅｒｙ」には、最後に送受信した先のＰＣ／ＬＲ４１１，４２１，４３１，４４１やＤＰ／ＦＡ４１２，４２２，４３２，４４２の情報が含まれる。そして、Ａｕｔｈ４１３，４２３，４３３，４４３がかかるメッセージの内容をメモリに記録することは、登録テーブル４１３１への登録処理も含まれる。このような理由により、Ａｕｔｈ４１３，４２３，４３３，４４３は、メッセージの送受信タイプが「Ｃｏｎｔｅｘｔ  ｄｅｌｉｖｅｒｙ」か否かを判断している。【００７１】
Ａｕｔｈ４１３，４２３，４３３，４４３は、メッセージの送受信タイプが「Ｃｏｎｔｅｘｔ  ｄｅｌｉｖｅｒｙ」でないとき（Ｓ２１０でＮｏ）、メッセージの送受信先がＰＣ／ＬＲ４１１，４２１，４３１，４４１か否かを判断する（Ｓ２２０）。かかる判断では、メッセージのみならず内部トリガも含まれる。尚、メッセージの送受信先の判断は、例えばメッセージ内に送受信先の情報が含まれるため、これを読み出すことにより判断する。【００７２】
そして、Ａｕｔｈ４１３，４２３，４３３，４４３は、メッセージの送受信先がＰＣ／ＬＲ４１１，４２１，４３１，４４１のとき（Ｓ２２０でＹｅｓ）、登録テーブル４１３１に送受信先のＰＣ／ＬＲ４１１，４２１，４３１，４４１の識別情報を登録する（Ｓ２３０）。そして、一連の処理が終了する（Ｓ２６０）。【００７３】
一方、メッセージの送受信先がＰＣ／ＬＲ４１１，４２１，４３１，４４１でないとき（Ｓ２２０でＮｏ）、Ａｕｔｈ４１３，４２３，４３３，４４３は、送受信先がＤＰ／ＦＡ４１２，４２２，４３２，４４２か否かを判断する（Ｓ２４０）。送受信先がＤＰ／ＦＡ４１２，４２２，４３２，４４２のとき（Ｓ２４０でＹｅｓ）、Ａｕｔｈ４１３，４２３，４３３，４４３は、登録テーブル４１３１に送受信先のＤＰ／ＦＡ４１２，４２２，４３２，４４２の識別情報を登録する（Ｓ２５０）。そして、一連の処理が終了する（Ｓ２６０）。【００７４】
また、メッセージの送受信先がＤＰ／ＦＡ４１２，４２２，４３２，４４２でないとき（Ｓ２４０でＮｏ）、Ａｕｔｈ４１３，４２３，４３３，４４３は登録を行うことなく処理を終了させる（Ｓ２６０）。【００７５】
図１０（Ｂ）は、登録テーブル４１３１の一例を示す図である。ＭＳごとに、最後に送受信した先のＰＣ／ＬＲ４１１，４２１，４３１，４４１と、ＤＰ／ＦＡ４１２，４２２，４３２，４４２のＩＤが登録される。【００７６】
初期ネットワーク登録イベント（図４）における登録処理は、図９（Ｂ）において、メッセージの送受信タイプが「Ｃｏｎｔｅｘｔ  ｄｅｌｉｖｅｒｙ」でもなく（Ｓ２１０でＮｏ）、送受信先がＰＣ／ＬＲ４１１，４２１，４３１，４４１でもなく（Ｓ２２０でＮｏ）、ＤＰ／ＦＡ４１２，４２２，４３２，４４２であるため（Ｓ２４０でＹｅｓ）、登録テーブル４１３１には、トリガの送信先であるＤＰ／ＦＡ４１２，４２２，４３２，４４２の識別情報が登録される。【００７７】
登録テーブル４１３１への登録処理（図９（Ｂ））は、アイドルモードへの遷移イベント（図６参照）でも行われる。すなわち、図６に示すように、ＭＳ‐Ａ１０はＢＳ２１〜２４を介して、ＰＣ／ＬＲ４１１，４２１，４３１，４４１のいずれかとアイドルモードへの遷移要求や応答等を示すメッセージの送受信を行う（Ｓ３１）。そして、ＰＣ／ＬＲ４１１，４２１，４３１，４４１は、Ａｕｔｈ４１３，４２３，４３３，４４３との間で、同じくアイドルモードへの遷移要求等のメッセージの送受信を行う（Ｓ３２）。Ａｕｔｈ４１３，４２３，４３３，４４３は、ＰＣ／ＬＲ４１１，４２１，４３１，４４１との間でメッセージの送受信を行うことから、登録テーブル４１３１への登録処理を行う（図９（Ｂ）参照）。この場合の登録処理は、送受信先がＰＣ／ＬＲ４１１，４２１，４３１，４４１のため、登録テーブル４１３１にはＰＣ／ＬＲ４１１，４２１，４３１，４４１の識別情報が登録される（Ｓ２３０）。【００７８】
また、登録テーブル４１３１への登録処理（図９（Ｂ））は、位置情報更新イベント（図７参照）でも行われる。位置情報更新イベントは、ＭＳ‐Ａ１０の電源が切断されて、ＢＳ２１〜２４のセル範囲を移動した場合に実行されるイベントである。ＭＳ‐Ａ１０の電源が切断されるため、本イベントはアイドルモード（図２）で実行される。【００７９】
図７に示すように、ＭＳ‐Ａ１０は移動前のＰＣ／ＬＲ４１１，４２１，４３１，４４１と位置情報の更新要求等の処理を行い（Ｓ４１）、ＰＣ／ＬＲ４１１，４２１，４３１，４４１は、Ａｕｔｈ４１３，４２３，４３３，４４３との間で、前述の「Ｃｏｎｔｅｘｔ  ｄｅｌｉｖｅｒｙ」によるメッセージの送受信を行う（Ｓ４２）。Ａｕｔｈ４１３，４２３，４３３，４４３は、ＰＣ／ＬＲ４１１，４２１，４３１，４４１とメッセージの送受信を行うため、登録処理を行う（図９（Ｂ））。この場合の登録処理は、メッセージのタイプが「Ｃｏｎｔｅｘｔ  ｄｅｌｉｖｅｒｙ」のため（Ｓ２１０でＹｅｓ）、Ａｕｔｈ４１３，４２３，４３３，４４３は「Ｃｏｎｔｅｘｔ  ｄｅｌｉｖｅｒｙ」に含まれるＰＣ／ＬＲ４１１，４２１，４３１，４４１の識別情報を読み出して登録テーブル４１３１への登録を行う。【００８０】
図７に戻り、ＭＳ‐Ａ１０は更新後の新たなＢＳ２１〜２４を介して、新たなＰＣ／ＬＲ４１１，４２１，４３１，４４１との間で、位置情報の更新確定処理を行う（Ｓ４３）。そして、新たなＰＣ／ＬＲ４１１，４２１，４３１，４４１は、自身が新たなＰＣ／ＬＲになったことを通知すべく、ＤＰ／ＦＡ４１２，４２２，４３２，４４２にＰＣ変更手順の処理を行う（Ｓ４４）。また、新たなＰＣ／ＬＲ４１１，４２１，４３１，４４１は、Ａｕｔｈ４１３，４２３，４３３，４４３に対して、自身が新たなＰＣ／ＬＲになったことを通知する必要があるときはＰＣ変更手順の処理を行う（Ｓ４５）。【００８１】
通知する必要があるとき、とは、ＭＳ‐Ａ１０の位置情報の更新を行うときでも、ＭＳ‐Ａ１０の移動距離が短く、通信システム１によっては、新たなＰＣ／ＬＲ４１１，４２１，４３１，４４１が、自身が新たなＰＣ／ＬＲになったこことを通知する必要がないときもあるからである。通知する必要があるときには、Ａｕｔｈ４１３，４２３，４３３，４４３は新たなＰＣ／ＬＲ４１１，４２１，４３１，４４１とメッセージの送受信を行う（Ｓ４５）。このときに、Ａｕｔｈ４１３，４２３，４３３，４４３は登録テーブル４１３１への登録処理を行う（図９（Ｂ）のＳ２３０）。【００８２】
登録テーブル４１３１への登録処理（図９（Ｂ））は、図８に示すＲ３リロケーションイベントのときでも行われる。Ｒ３リロケーションイベントとは、Ａ‐ＤＰ／ＦＡ（アンカーＤＰ／ＦＡ、アンカーとはネットワーク外部からのポイントとなるべきエンティティ）の物理的な位置が変更する場合に行われるイベントである。本イベントは、図２に示すアクティブ状態Ｍ１のみならず、アイドル状態Ｍ２でも行われる。【００８３】
図８に示すように、まず、変更後の新たなＤＰ／ＦＡ４１２，４２２，４３２，４４２は、変更前のＤＰ／ＦＡ４１２，４２２，４３２，４４２との間で、Ｒ３リロケーションの要求等を行う（Ｓ５１，Ｓ５２）。そして、新たなＤＰ／ＦＡ４１２，４２２，４３２，４４２はＡｕｔｈ４１３，４２３，４３３，４４３との間で、自身が新たなＤＰ／ＦＡ４１２，４２２，４３２，４４２になったことの通知等を含むＲ３リロケーション手順を実行する（Ｓ５３）。このとき、ＤＰ／ＦＡ４１２，４２２，４３２，４４２との間でメッセージの送受信が行われることから、Ａｕｔｈ４１３，４２３，４３３，４４３は登録テーブル４１３１の登録処理を行う（図９（Ｂ）のＳ２５０）。【００８４】
以上により、２つの登録テーブル６３１，４１３１には、最後にメッセージ等の送受信を行った、すなわち、現在ＭＳ‐Ａ１０を管理するエンティティ４１１等の識別情報が登録される。【００８５】
＜１．２  位置検索処理＞
登録テーブル６３１，４１３１への登録後、通信システム１において位置検索処理が実行される。図１１（Ａ）は本実施例１における通信システム１の接続構成図を示す図である。矢印はデータ等の送信先を示す。ＬＳ６４は、ＡＡＡサーバ６３を介して、Ａｕｔｈ４１３，４２３，４３３，４４３と接続される。また、Ａｕｔｈ４１３，４２３，４３３，４４３は、Ａ‐ＤＰ／ＦＡ４１２，４２２，４３２，４４２を介してＢＳ２１〜２４のＤＰ２１２，２２２，２３２，２４２と接続されるとともに、Ａ‐ＰＣ４１１，４２１，４３１，４４１を介して、ＰＡ２１１，２２１，２３１，２４１と接続される。【００８６】
このように接続された通信システム１における動作について説明する。図１２は、位置検索処理のシーケンス例を示す図である。図１２を参照して動作を説明する。図３に示す処理の流れを詳細に示したものである。【００８７】
まず、ＬＳ６４は、ＡＡＡサーバ６３に対して、検索対象のＭＳ‐Ａ１０の識別情報（例えば、ＩＰアドレス）を含む位置情報先確定要求（或いは所望のＭＳ‐Ａ１０の位置検索依頼）を出力する（Ｓ５００）。【００８８】
次いで、ＡＡＡサーバ６３は、登録テーブル６３１にアクセスして、ＭＳ‐Ａ１０の識別情報から、ＭＳ‐Ａ１０に対応する、最後に送受信したＡｕｔｈ４１３，４２３，４３３，４４３を検索する。そして、ＡＡＡサーバ６３は、検索して得られたＡｕｔｈ４１３，４２３，４３３，４４３に対して位置情報先確定要求を出力する（Ｓ５０５）。位置情報先確定要求には、ＭＳ‐Ａ１０の識別情報も含まれる。【００８９】
次いで、Ａｕｔｈ４１３，４２３，４３３，４４３は、登録テーブル４１３１にアクセスして、ＭＳ‐Ａ１０の識別情報から、ＭＳ‐Ａ１０に対応する、最後に送受信したＰＣ／ＬＲ４１１，４２１，４３１，４４１と、ＤＰ／ＦＡ４１２，４２２，４３２，４４２とを読み出す。そして、Ａｕｔｈ４１３，４２３，４３３，４４３は、当該にＰＣ／ＬＲ４１１，４２１，４３１，４４１と、ＤＰ／ＦＡ４１２，４２２，４３２，４４２とに対して、位置情報先確定要求を出力する（Ｓ５１０，Ｓ５１５）。【００９０】
Ａ‐ＰＣ／ＬＲ４１１，４２１，４３１，４４１は、位置情報先確定要求に対して、位置情報先確定応答をＡｕｔｈ４１３，４２３，４３３，４４３に出力する（Ｓ５２０）。Ａ‐ＤＰ／ＦＡ４１２，４２２，４３２，４４２も、位置情報先確定要求に対して、位置情報先確定応答をＡｕｔｈ４１３，４２３，４３３，４４３に出力する（Ｓ５２５）。【００９１】
Ａｕｔｈ４１３，４２３，４３３，４４３は、位置情報先確定応答から、Ａ‐ＰＣ／ＬＲ４１１，４２１，４３１，４４１、又はＡ‐ＤＰ／ＦＡ４１２，４２２，４３２，４４２のうち、どちらが真に最後にメッセージの送受信を行ったか、言い換えると、どちらが現在、ＭＳ‐Ａ１０を管理しているか（どちらか現在ＭＳ‐Ａ１０に対してサービスを提供しているか）を決定する。上述したように、最後にメッセージの送受信を行ったエンティティ４１１等は、特別なイベント（図４等）が行われない限り、送受信先のエンティティ４１１等の情報はそのままの状態を維持し、現在、そのエンティティ４１１等がＭＳ‐Ａ１０に対してサービスを提供しているからである。【００９２】
位置情報先確定応答に、例えばＭＳ‐Ａ１０の位置情報が含まれている場合は、位置情報を含む位置情報先確定応答を出力したＡ‐ＰＣ／ＬＲ４１１，４２１，４３１，４４１又はＡ‐ＤＰ／ＦＡ４１２，４２２，４３２，４４２が、真に最後にメッセージの送受信を行ったエンティティとなる。【００９３】
これは、例えば、複数のＢＳ２１〜２４のうち、現在ＭＳ‐Ａ１０を配下にするいずれかのＢＳ２１〜２４だけが、ＭＳ‐Ａ１０の現在の位置情報を保持している。そして、位置情報先確定要求を受けたＡ‐ＰＣ／ＬＲ４１１，４２１，４３１，４４１又はＡ‐ＤＰ／ＦＡ４１２，４２２，４３２，４４２は、ＢＳ２１〜２４に対して、ＭＳ‐Ａ１０の現在位置の情報を取得するための要求を行い、Ａ‐ＰＣ／ＬＲ４１１，４２１，４３１，４４１又はＡ‐ＤＰ／ＦＡ４１２，４２２，４３２，４４２のいずれかと接続されたＢＳ２１〜２４だけがＭＳ‐Ａ１０の位置情報を取得できるからである。【００９４】
位置情報先確定応答に時間情報が含まれている場合には、Ａｕｔｈ４１３，４２３，４３３，４４３は、２つの位置情報先確定応答を比較して、最後にメッセージを送受信したＣＰ／ＬＲ４１１，４２１，４３１，４４１、又はＤＰ／ＦＡ４１２，４２２，４３２，４４２エンティティを特定してもよい。【００９５】
或いは、Ａｕｔｈ４１３，４２３，４３３，４４３が登録テーブル４１３１に時間情報を登録しておき、本処理のタイミングで時間情報から、最後に送受信したＣＰ／ＬＲ４１１，４２１，４３１，４４１、又はＤＰ／ＦＡ４１２，４２２，４３２，４４２を特定するようにしてもよい。【００９６】
Ａｕｔｈ４１３，４２３，４３３，４４３は、最後に送受信したＡ‐ＰＣ／ＬＲ４１１，４２１，４３１，４４１又はＡ‐ＤＰ／ＦＡ４１２，４２２，４３２，４４２の識別情報を含む位置情報先確定応答を、ＡＡＡサーバ６３を介して、ＬＳ６４に出力する（Ｓ５３０，Ｓ５３５）。【００９７】
そして、ＬＳ６４は、位置情報先確定応答に基づいて、Ａ‐ＰＣ／ＬＲ４１１，４２１，４３１，４４１、又はＡ‐ＤＰ／ＦＡ４１２，４２２，４３２，４４２に対して、メッセージを送信する等して、ＭＳ‐Ａ１０の位置情報を取得する。位置情報先確定応答に、位置情報自体が含まれていれば、ＬＳ６４は位置情報先確定応答の取得により（Ｓ５３５）、位置情報取得のためのメッセージの送信を行うことなく、ＭＳ‐Ａ１０の位置情報を取得できる。【００９８】
＜２．第２の実施例＞
次に、第２の実施例について説明する。本第２の実施例では、ＬＳ６４からの位置検索依頼（又は位置情報先確定要求）がＨＡ６１，６２を経由してＡＡＡサーバ６３に送信される例である。通信システム１の構成等は、第１の実施例と同様である。【００９９】
図１３は本第２の実施例における位置検索処理の流れを示す図である。まず、ＬＳ６４はＨＡ６１，６２に対して位置検索依頼等を出力する。位置検索依頼等には、検索対象のＭＳ‐Ａ１０の識別情報が含まれる。ＨＡ６１，６２は、登録テーブル６１１を参照して、最後にメッセージの送受信を行った（又は、現在ＭＳ‐Ａ１０を管理する）ＡＡＡサーバ６３の識別情報を取得し、当該ＡＡＡサーバ６３に対して位置検索依頼等を出力する。以降の処理は、第１の実施例と同様である。尚、図１に示す通信システム１ではＡＡＡサーバ６３が１台のみであるが、当然複数台あってもよい。【０１００】
本第２の実施例においても、ＡＳＮ‐ＧＷ４１〜４４のすべてのエンティティ４１１等を検索する場合と比較して、ＡＳＮ‐ＧＷ４１〜４４の台数に関係なく、３回の処理で、現在ＭＳ‐Ａ１０を管理する（サービスを提供する）ＰＣ／ＬＲ４１１，４２１，４３１，４４１、又はＤＰ／ＦＡ４１２，４２２，４３２，４４２を特定できる。本通信システム１でも、ＡＳＮ‐ＧＷ４１〜４４のすべてのエンティティ４１１等を検索する場合と比較して、早くエンティティ４１１等を特定でき、ＭＳ‐Ａ１０の現在位置を取得できる。【０１０１】
図１４はＨＡ６１，６２における登録テーブル６１１の登録処理のフローチャートである。この登録処理が実行されるタイミングは、図４に示す初期ネットワーク登録イベントのＭＩＰ登録処理（Ｓ１９）が実行されるタイミングである。すなわち、ＭＳ‐Ａ１０のＩＰ登録処理（ＭＩＰ登録処理Ｓ１９）の中で、ＨＡ６１，６２はＡＡＡサーバ６３に対して、ＭＳ‐Ａ１０を登録してもよいか否かの確認要求を行い、ＡＡＡサーバ６３はＨＡ６１，６２に応答を返す。ＨＡ６１，６２はＡＡＡサーバ６３とこれらのメッセージの送受信を行い、以後、ＨＡ６１，６２は、この初期ネットワーク登録処理のイベントが行われない限り、ＡＡＡサーバ６３とメッセージの送受信が行われないことから、この処理中に登録されたＡＡＡサーバ６３は最後にメッセージの送受信を行ったＡＡＡサーバ６３となる。【０１０２】
図１４の登録処理について説明する。まず、本登録処理が開始されると（Ｓ３００）、ＨＡ６１，６２はＭＩＰ登録処理を行う（Ｓ３１０）。ＭＩＰ登録処理とは、初期ネットワーク登録処理のＭＩＰ登録処理（Ｓ１９、図４参照）のことである。【０１０３】
次いで、ＨＡ６１，６２はＭＩＰの登録が完了したか否かを判断する（Ｓ３２０）。例えば、上述したＨＡ６１，６２の登録確認要求に対して、ＡＡＡサーバ６３から登録完了を示す応答が返ってきたか否かで判断する。【０１０４】
ＨＡ６１，６２は、ＭＩＰの登録が完了したとき（Ｓ３２０でＹｅｓ）、送受信した先のＡＡＡサーバ６３の識別情報（例えば、ＡＡＡサーバ６３のＩＰアドレス）を登録テーブル６１１に登録する（Ｓ３３０）。そして、一連の処理が終了する（Ｓ３４０）。【０１０５】
一方、ＨＡ６１，６２は、ＭＩＰの登録が完了しないとき（Ｓ３２０）、登録テーブル６１１への登録を行うことなく一連の処理を終了させる（Ｓ３４０）。【０１０６】
図１５は登録テーブル６１１の一例を示す図である。ＭＳのＩＤやＩＰアドレスとともに、ＡＡＡサーバ６３のＩＰアドレスも登録される。【０１０７】
ＨＡ６１，６２の登録処理が終了した後、通信システム１は位置検索処理を行う。勿論、他の登録テーブル６３１，４１３１への登録処理（図９（Ａ）及び同図（Ｂ））も完了している。【０１０８】
図１２は本第２の実施例における位置検索処理のシーケンス例を示す図である。ＬＳ６４は、ＨＡ６１，６２に対して位置情報先確定要求（又は、位置検索依頼）を出力する（Ｓ６００）。【０１０９】
ＨＡ６１，６２は登録テーブル６１１から最後にメッセージの送受信を行った（現在、ＭＳ‐Ａ１０にサービスを提供している）ＡＡＡサーバ６３を読み出し、当該ＡＡＡサーバ６３に対して位置情報先確定要求を出力する（Ｓ６０５）。【０１１０】
位置情報先確定要求（Ｓ５０５）から位置情報先確定応答（Ｓ５３０）までの処理は、第１の実施例と同一のため説明を省略する。尚、位置情報先確定要求に検索対象のＭＳ‐Ａ１０のＩＤが含まれるのは第１の実施例と同様である。【０１１１】
ＡＡＡサーバ６３は、位置情報先確定応答を受けると、ＨＡ６１，６２に位置情報先確定応答を出力し、ＨＡ６１，６２はかかる位置情報先確定応答をＬＳ６４に出力する（Ｓ６１０，Ｓ６１５）。【０１１２】
位置情報先確定応答に、ＭＳ‐Ａ１０の位置情報（緯度、経度、高度等）が含まれていれば、ＬＳ６４は位置情報先確定応答を受け取ることで検索が終了する。位置情報先確定応答に、現在ＭＳ‐Ａ１０を管理するエンティティ４１１等が含まれているときは、かかるエンティティ４１１等に対して、メッセージを出力することでＭＳ‐Ａ１０の位置情報を取得する。【０１１３】
本第２の実施例では、検索の経路として、ＬＳ６４からＨＡ６１，６２を経由してＡＡＡサーバ６３に向かう。第１の実施例のようにＬＳ６４からＡＡＡサーバ６３に直接向かう経路以外にも、本第２の実施例のような経路があってもよい。【０１１４】
＜３．第３の実施例＞
次に第３の実施例について説明する。第３の実施例は、位置検索処理の際にＬＳ６４が直接Ａｕｔｈ４１３，４２３，４３３，４４３に位置情報先確定要求（又は、位置検索依頼）を出力して検索する例である。位置検索を行う場合の構成図を図１１（Ｂ）に示し、位置検索を行う場合の処理の流れを図１６に示す。【０１１５】
第１及び第２の実施例と同様に、ＡＳＮ‐ＧＷ４１〜４４の全てのエンティティ４１１等を検索する場合と比較して、現在ＭＳ‐Ａ１０を管理するエンティティ４１１等を早く検索できる。また、ＡＡＡサーバ６３での検索処理が削除されるため、第１及び第２の実施例と比較して、更に検索時間を短縮できる。検索時間の短縮により、通信システム１のリソースを有効に活用できる。【０１１６】
ＬＳ６４が位置情報先確定要求をＡｕｔｈ４１３，４２３，４３３，４４３に対して出力するためには、ＬＳ６４にはＡＡＡサーバ６３の登録テーブル６３１に登録された情報を保持する必要がある。そして、そのために、ＬＳ６４はＡｕｔｈ４１３，４２３，４３３，４４３からそのＩＤを取得する必要がある。【０１１７】
図１７は、ＬＳ６４における登録テーブル６４１への登録処理のフローチャートを示す図である。この登録処理が実行されるタイミングは、初期ネットワーク登録と再認証のイベント内である。Ａｕｔｈ４１３，４２３，４３３，４４３は、第１の実施例と同様に、認証や再認証を行った後は、初期ネットワーク登録等のイベントがない限りＭＳ‐Ａ１０との間の接続を保持したままの状態であり、ＬＳ６４はＡｕｔｈ４１３，４２３，４３３，４４３から、現在ＭＳ‐Ａ１０を管理するＡｕｔｈ４１３，４２３，４３３，４４３の識別情報を取得できれば、ＡＡＡサーバ６３が保持した登録テーブル６３１と同一の情報を保持できる。【０１１８】
すなわち、図４に示すようにＭＳ‐Ａ１０とネットワーク登録を完了後（Ｓ１５）、いずれかのＡｕｔｈ４１３，４２３，４３３，４４３はＬＳ６４へＡｕｔｈ４１３，４２３，４３３，４４３のＩＤを含む通知メッセージを出力する。このタイミングでＬＳ６４は登録テーブル６４１への登録処理を行えばよい。【０１１９】
図１７に示すように、ＬＳ６４はＡｕｔｈ４１３，４２３，４３３，４４３からの通知があるか否かを判断し（Ｓ４１０）、通知があれば（Ｓ４１０でＹｅｓ）、認証許可先の（通知を送信した送信先の）Ａｕｔｈ４１３，４２３，４３３，４４３のＩＤを通知から取り出して、登録テーブル６４１に登録する（Ｓ４２０）。そして、一連の処理が終了する（Ｓ４３０）。【０１２０】
一方、通知がないと（Ｓ４１０でＮｏ）、ＬＳ６４は一連の処理を終了させる（Ｓ４３０）。【０１２１】
かかる登録処理は、再認証イベント（図５）でも行われる。すなわち、ＭＳ‐Ａ１０とＡｕｔｈ４１３，４２３，４３３，４４３との間で認証情報の確認処理が行われる（Ｓ２３）と、Ａｕｔｈ４１３，４２３，４３３，４４３はＬＳ６４に対して通知メッセージを出力する。初期ネットワーク登録イベントと同様に、ＬＳ６４はこのタイミングで登録処理（図１７）を実行すればよい。【０１２２】
図１８は、登録後の位置検索処理のシーケンス例を示す図である。同図に示すように、ＬＳ６４は登録テーブル６４１を検索して現在ＭＳ‐Ａ１０を管理するＡｕｔｈ４１３，４２３，４３３，４４３に対して位置情報先確定要求を出力する（Ｓ７００）。また、ＬＳ６４はこの位置情報先確定要求に対する応答として、Ａｕｔｈ４１３，４２３，４３３，４４３から位置情報先確定応答を受け取る。他の処理や、位置情報先確定要求、及び情報先確定応答の具体例は第１の実施例と同一のため説明を省略する。【０１２３】
＜４．その他の実施例＞
上述した第１〜第３の実施例において、ＡＳＮ‐ＧＷ４１〜４４の各エンティティは、一機能ブロックとして説明している。かかるブロックは、図１９に示すコンピュータ（パーソナルコンピュータやワークステーションなど）７０により実現できる。すなわち、ＲＯＭ７２に格納されたプログラムをＣＰＵ７１が読み出してこれを実行する等、ＣＰＵ７１、ＲＯＭ７２、ＲＡＭ７３の協調作業により、各エンティティの機能が実現される。例えば、各ＡＳＮ‐ＧＷ４１〜４４が図１９に示す一つのコンピュータ７０である。或いは、各エンティティ４１１が一つのコンピュータ７０としてもよい。【０１２４】
また、ＣＳＮ群６０を構成するＡＡＡサーバ６３やＬＳ６４も図１９に示すコンピュータ７０により実現できる。ＢＳ２１〜２４についても同様で、ＰＡ２１１，２２１，２３１，２４１やＤＰ２１２，２２２，２３２，２４２もＣＰＵ７１とＲＯＭ７２、ＲＡＭ７３の協調動作により実現できる。【０１２５】
上述した第１〜第３の実施例において、登録テーブル４１３１にはＰＣ／ＬＲ４１１，４２１，４３１，４４１とＤＰ／ＦＡ４１２，４２２，４３２，４４２の２つの種類が登録されるものとして説明した。勿論、これら２つのうち、いずれか一方を登録テーブル４１３１に登録するようにしてもよい。この場合、図９（Ｂ）に示す登録処理は、Ｓ２３０、Ｓ２５０においてどちらか一方の識別情報を、登録テーブル４１３１に上書きされるように登録させれば実施可能である。要するに、位置検索処理（図１２等）において、Ａｕｔｈ４１３，４２３，４３３，４４３は、最後に送受信を行ったＰＣ／ＬＲ４１１，４２１，４３１，４４１又はＤＰ／ＦＡ４１２，４２２，４３２，４４２の識別情報（すなわち、現在ＭＳ‐Ａ１０を管理するＰＣ／ＬＲ４１１，４２１，４３１，４４１又はＤＰ／ＦＡ４１２，４２２，４３２，４４２）を特定できればよい。【０１２６】
また、上述した第１〜第３の実施例において、ＢＳ群２０を構成するＢＳ２１〜２４の数は４台、ＡＳＮ‐ＧＷ群４０を構成するＡＳＮ‐ＧＷ４１〜４４の数も４台として説明した。勿論、これは一例であって、ＢＳやＡＳＮ‐ＧＷは１台でもよいし５台以上あってもよい。また、ＣＳＮ群６０を構成するＨＡ６１，６２の数も１台でも、３台以上でもよい。ＡＡＡサーバ６３やＬＳ６４についても２台以上あってもよい。
【図１】
2008152681.tif 000003
【図２】
2008152681.tif 000004
【図３】
2008152681.tif 000005
【図４】
2008152681.tif 000006
【図５】
2008152681.tif 000007
【図６】
2008152681.tif 000008
【図７】
2008152681.tif 000009
【図８】
2008152681.tif 000010
【図９】
2008152681.tif 000011
【図１０】
2008152681.tif 000012
【図１１】
2008152681.tif 000013
【図１２】
2008152681.tif 000014
【図１３】
2008152681.tif 000015
【図１４】
2008152681.tif 000016
【図１５】
2008152681.tif 000017
【図１６】
2008152681.tif 000018
【図１７】
2008152681.tif 000019
【図１８】
2008152681.tif 000020
【図１９】
2008152681.tif 000021
【図２０】
2008152681.tif 000022
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、
前記移動端末の位置の確定を要求する要求を出力する位置検索サーバを備え、
前記認証サーバは、最後にデータの送受信を行った前記認証部の識別情報が登録された第１の登録テーブルを有し、
前記認証部は、最後にデータの送受信を行った前記データパス部又は前記ページングコントローラ部の識別情報が登録された第２の登録テーブルを有し、
前記認証サーバは、前記位置検索サーバから前記要求を受けると、前記第１の登録テーブルから前記認証部を特定し、前記特定された認証部へ前記要求を出力し、
前記認証部は、前記認証サーバから前記要求を受けると、前記第２の登録テーブルから前記データパス部又は前記ページングコントローラ部を特定し、
前記位置検索サーバは、前記特定されたデータパス部又はページングコントローラ部から、前記移動端末の位置情報を取得することを特徴とする通信システム。
【請求項２】
前記認証サーバは、前記移動端末に対してネットワークへのアクセスを許可するアクセス許可メッセージを送信するときに、前記第１の登録テーブルへの登録を行うことを特徴とする請求項１記載の通信システム。
【請求項３】
前記認証部は、前記データパス部及び前記ページングコントローラ部との間でデータの送受信を行うときに前記第２の登録テーブルへの登録を行うことを特徴とする請求項１記載の通信システム。 
【請求項４】
前記第１及び第２の登録テーブルは、前記移動端末ごとに、前記認証部、前記データパス部、及び前記ページングコントローラ部の識別情報が登録され、前記要求は、前記移動端末の識別情報を含み、
前記認証サーバと前記認証部は、前記要求に含まれる前記移動端末の識別情報に基づいて、前記第１及び第２の登録テーブルを検索することを特徴とする請求項１記載の通信システム。
【請求項５】
前記第２の登録テーブルには、最後にデータの送受信を行った前記データパス部及び前記ページングコントローラ部の双方の識別情報が登録され、
前記認証部は、前記認証サーバから前記要求を受けると、前記第２の登録テーブルから前記データパス部及び前記ページングコントローラ部を特定し、当該データパス部及び当該ページングコントローラ部に前記要求を出力し、前記データパス部及び前記ページングコントローラ部からの前記要求に対する確定応答に基づいて、前記移動端末を管理する前期データパス部又は前記ページングコントローラ部を特定することを特徴とする請求項１記載の通信システム。
【請求項６】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、
前記移動端末の位置の確定を要求する要求を出力する位置検索サーバと、
前記移動端末にデータを配送するホームエージェントとを備え、
前記認証サーバは、最後にデータの送受信を行った前記認証部の識別情報が登録された第１の登録テーブルを有し、
前記認証部は、最後にデータの送受信を行った前記データパス部又は前記ページングコントローラ部のそれぞれの識別情報が登録された第２の登録テーブルを有し、
前記ホームエージェントは、最後にデータの送受信を行った前記認証サーバの識別情報が登録された第３の登録テーブルを有し、
前記ホームエージェントは、前記位置検索サーバから前記要求を受けると、前記第３の登録テーブルから前記認証サーバを特定し、前記特定された認証サーバに前記要求を出力し、
前記認証サーバは、前記ホームエージェントから前記要求を受けると、前記第１の登録テーブルから前記認証部を特定し、前記要求を前記特定された認証部に出力し、
前記認証部は、前記認証サーバから前記要求を受けると、前記第２の登録テーブルから前記データパス部又は前記ページングコントローラ部を特定し、
前記位置検索サーバは、前記特定されたデータパス部又はページングコントローラ部から、前記移動端末の位置情報を取得することを特徴とする通信システム。
【請求項７】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおいて、
前記移動端末の位置の確定を要求する要求を出力する位置検索サーバを備え、
前記認証部は、最後にデータの送受信を行った前記データパス部又は前記ページングコントローラ部のそれぞれの識別情報が登録された第２の登録テーブルを有し、
前記位置検索サーバは、最後にデータの送受信を行った前記認証部の識別情報が登録された第４の登録テーブルを有し、
前記位置検索サーバは、前記第４の登録テーブルに登録された前記認証部に、前記要求を出力し、
前記認証部は、前記位置検索サーバから前記要求を受けると、前記第２の登録テーブルから前記データパス部又は前記ページングコントローラ部を特定し、
前記位置検索サーバは、前記特定された前記データパス部又は前記ページングコントローラ部から、前記移動端末の位置情報を取得することを特徴とする通信システム。
【請求項８】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、
位置検索サーバは前記移動端末の位置の確定を要求する要求を出力し、
前記認証サーバは、前記要求を前記位置検索サーバから受けて、最後にデータの送受信を行った前記認証部の識別情報が登録された第１の登録テーブルから前記認証部を特定し、特定された前記認証部に前記要求を出力し、
前記認証部は、前記認証サーバから前記要求を受けて、最後にデータの送受信を行った前記データパス部又は前記ページングコントローラ部の識別情報が登録された第２の登録テーブルから、前記データパス部及び前記ページングコントローラ部を特定し、
前記位置検索サーバは、前記特定された前記データパス部又は前記ページングコントローラ部から、前記移動端末の位置情報を取得することを特徴とする位置検索方法。
【請求項９】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、
位置検索サーバは、前記移動端末にデータを配送するホームエージェントへ、前記移動端末の位置の確定を要求する要求を出力し、
前記ホームエージェントは、前記要求を受けると、最後にデータの送受信を行った前記認証サーバの識別情報が登録された第３の登録テーブルから前記認証サーバを特定し、前記特定された認証サーバに前記要求を出力し、
前記認証サーバは、前記要求を受けると、最後にデータの送受信を行った前記認証部の識別情報が登録された第１の登録テーブルから前記認証部を特定し、前記特定された認証部に前記要求を出力し、
前記認証部は、前記要求を受けると、最後にデータの送受信を行った前記データパス部又は前記ページングコントローラ部の識別情報が登録された第２の登録テーブルから前記データパス部又は前記ページングコントローラ部を特定し、
前記位置検索サーバは、前記特定されたデータパス部又はページングコントローラ部から、前記移動端末の位置情報を取得することを特徴とする位置検索方法。
【請求項１０】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムにおける移動端末の位置検索方法において、
位置検索サーバは前記移動端末の位置の確定を要求する要求を出力し、
前記認証部は、前記位置検索サーバから前記要求を受けて、最後にデータの送受信を行った前記データパス部又は前記ページングコントローラ部の識別情報が登録された第２の登録テーブルから、前記データパス部又は前記ページングコントローラ部を特定し、
前記位置検索サーバは、前記特定された前記データパス部又は前記ページングコントローラ部から、前記移動端末の位置情報を取得することを特徴とする位置検索方法。
【請求項１１】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムのコンピュータに実行させるプログラムであって、
位置検索サーバに対して、前記移動端末の位置の確定を要求する要求を出力させる処理と、
前記認証サーバに対して、前記要求を前記位置検索サーバから受けて、最後にデータの送受信を行った前記認証部の識別情報が登録された第１の登録テーブルから前記認証部を特定し、特定された前記認証部に前記要求を出力させる処理と、
前記認証部に対して、前記認証サーバから前記要求を受けて、最後にデータの送受信を行った前記データパス部又は前記ページングコントローラ部の識別情報が登録された第２の登録テーブルから、前記データパス部又は前記ページングコントローラ部を特定させる処理と、
前記位置検索サーバに対して、前記特定された前記データパス部又は前記ページングコントローラ部から、前記移動端末の位置情報を取得させる処理と
を前記コンピュータに実行させることを特徴とするプログラム。
【請求項１２】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムのコンピュータに実行させるプログラムであって、
位置検索サーバに対して、前記移動端末にデータを配送するホームエージェントへ、前記移動端末の位置の確定を要求する要求を出力させる処理と、
前記ホームエージェントに対して、前記要求を受けると、最後にデータの送受信を行った前記認証サーバの識別情報が登録された第３の登録テーブルから前記認証サーバを特定させ、前記特定された認証サーバに前記要求を出力させる処理と、
前記認証サーバに対して、前記要求を受けると、最後にデータの送受信を行った前記認証部の識別情報が登録された第１の登録テーブルから前記認証部を特定させ、前記特定された認証部に前記要求を出力させる処理と、
前記認証部に対して、前記要求を受けると、最後にデータの送受信を行った前記データパス部又は前記ページングコントローラ部の識別情報が登録された第２の登録テーブルから前記データパス部又は前記ページングコントローラ部を特定させる処理と、
前記位置検索サーバに対して、前記特定されたデータパス部又はページングコントローラ部から、前記移動端末の位置情報を取得させる処理と
を前記コンピュータに実行させることを特徴とするプログラム。
【請求項１３】
移動端末と無線通信を行う基地局装置と、
前記基地局装置と接続されて前記基地局装置を介して前記移動端末にネットワークへの接続経路を提供するゲートウェイ装置と、
前記ゲートウェイ装置と接続され前記ゲートウェイ装置及び前記基地局装置を介して前記移動端末に認証キーを発行する認証サーバと、を備え、
前記ゲートウェイ装置は、入力されたデータを選択して前記移動端末に前記データを送信するデータパス部と、前記移動端末の電源が切断された状態において前記移動端末の情報を管理するページングコントローラ部と、前記認証サーバから発行された前記認証キーを前記移動端末に送信する認証部とを備え、前記移動端末の状態に応じて前記データパス部又は前記ページングコントローラ部のいずれかが動作する通信システムの各コンピュータに実行させるプログラムであって、
位置検索サーバに対して、前記移動端末の位置の確定を要求する要求を出力させる処理と、
前記認証部に対して、前記位置検索サーバから前記要求を受けて、最後にデータの送受信を行った前記データパス部又は前記ページングコントローラ部のそれぞれの識別情報が登録された第２の登録テーブルから、前記データパス部又は前記ページングコントローラ部を特定させる処理と、
前記位置検索サーバに対して、前記特定された前記データパス部又は前記ページングコントローラ部から、前記移動端末の位置情報を取得させる処理と
を前記コンピュータに実行させることを特徴とするプログラム。
【国際調査報告】
2008152681.tif 000023
2008152681.tif 000024
2008152681.tif 000025
2008152681.tif 000026